(57)【要約】【課題】  瞬間停電によりエレベータの運転が停止したときに、短時間で運転が再開されることを利用者に認識させるエレベータ制御装置を提供する。【解決手段】  実施形態によればエレベータ制御装置は、瞬間停電検知部と再起動処理部と運転制御部と表示制御部と音声出力制御部とを備える。瞬間停電検知部は、エレベータシステムで発生した瞬間停電を検知する。再起動処理部は、瞬間停電の発生が検知されるとエレベータシステムの再起動処理を行う。運転制御部は、瞬間停電の発生が検知されると運転を停止し、その後再起動処理が完了すると運転を再開する。表示制御部は、乗場表示装置およびかご内表示装置に、「一時停止中」であること、「システム再起動中」であることを報知する情報を表示させる。音声出力制御部は、乗場スピーカおよびかご内スピーカから、「一時停止中」であること、「システム再起動中」であることを報知する音声情報を出力させる。【選択図】図１
2015048225.tif 000002
【特許請求の範囲】
【請求項１】
エレベータの各階のエレベータ乗場に設置された乗場表示装置および乗場スピーカと、前記エレベータの乗りかご内に設置されたかご内表示装置およびかご内スピーカとを備えるエレベータシステムで利用されるエレベータ制御装置において、
前記エレベータシステムで発生した瞬間停電を検知する瞬間停電検知部と、
前記瞬間停電検知部で瞬間停電の発生が検知されると、前記エレベータシステムの再起動処理を行う再起動処理部と、
前記瞬間停電検知部で瞬間停電の発生が検知されると運転を停止し、運転停止後、前記再起動処理部により実行される再起動処理が完了すると運転を再開する運転制御部と、
瞬間停電の発生が検知されたことにより前記運転制御部により運転が停止されると「一時停止中」であることを報知する情報を前記乗場表示装置および前記かご内表示装置に表示させ、前記再起動処理部で再起動処理が開始されると「システム再起動中」であることを報知する情報を前記乗場表示装置および前記かご内表示装置に表示させる表示制御部と、
瞬間停電の発生が検知されたことにより前記運転制御部により運転が停止されると「一時停止中」であることを報知する音声情報を前記乗場スピーカおよび前記かご内スピーカから出力させ、前記再起動処理部で再起動処理が開始されると「システム再起動中」であることを報知する音声情報を前記乗場スピーカおよび前記かご内スピーカから出力させる音声出力制御部と
を備えることを特徴とするエレベータ制御装置。
【請求項２】
前記表示制御部は、前記運転制御部により運転が再開されると「正常に復帰した」ことを報知する情報を前記乗場表示装置および前記かご内表示装置に所定時間表示させ、
前記音声出力制御部は、前記運転制御部により運転が再開されると「正常に復帰した」ことを報知する音声情報を前記乗場スピーカおよび前記かご内スピーカから所定時間出力させる
ことを特徴とする請求項１に記載のエレベータ制御装置。
【発明の詳細な説明】
【技術分野】
【０００１】
本発明の実施形態は、エレベータ制御装置に関する。
【背景技術】
【０００２】
従来、建物内で停電が発生するとエレベータの運転が緊急停止される。緊急停止が発生すると、乗りかご内の利用者はエレベータが故障したかと思い、不安を感じる。
【０００３】
そこで、エレベータの緊急停止時に、乗りかご内のスピーカから利用者に対し、発生原因等を伝える自動アナウンスを行うエレベータがある。
【先行技術文献】
【特許文献】
【０００４】
【特許文献１】特開平４−３９２８１号公報
【発明の概要】
【発明が解決しようとする課題】
【０００５】
停電には、電力供給が数マイクロ秒から数百マイクロ秒程度の短い時間途絶える「瞬間停電」も含まれる。
【０００６】
このような瞬間停電が発生した際は、エレベータが緊急停止されてもエレベータシステムが再起動されることで運転再開が可能であるため、運転停止時間は数分間程度である。
【０００７】
しかし緊急停止時に出力される単一の自動アナウンス情報では、運転再開までに長時間を要するのか、数分程度であるかが判別できず、やはり利用者は不安を感じるという問題があった。
【０００８】
本発明は上記事情に鑑みてなされたものであり、瞬間停電によりエレベータの運転が停止したときに、短時間で運転が再開されることを利用者に認識させるエレベータ制御装置を提供することを目的とする。
【課題を解決するための手段】
【０００９】
上記目的を達成するための実施形態によればエレベータ制御装置は、瞬間停電検知部と再起動処理部と運転制御部と表示制御部と音声出力制御部とを備える。瞬間停電検知部は、エレベータシステムで発生した瞬間停電を検知する。再起動処理部は、瞬間停電の発生が検知されるとエレベータシステムの再起動処理を行う。運転制御部は、瞬間停電の発生が検知されると運転を停止し、その後再起動処理が完了すると運転を再開する。表示制御部は、乗場表示装置およびかご内表示装置に、「一時停止中」であること、「システム再起動中」であることを報知する情報を表示させる。音声出力制御部は、乗場スピーカおよびかご内スピーカから、「一時停止中」であること、「システム再起動中」であることを報知する音声情報を出力させる。
【図面の簡単な説明】
【００１０】
【図１】一実施形態によるエレベータ制御装置を利用したエレベータシステムの構成を示す全体図。
【図２】一実施形態によるエレベータ制御装置の構成を示すブロック図。
【図３】一実施形態によるエレベータ制御装置の動作を示すフローチャート。
【図４】一実施形態によるエレベータ制御装置により出力される表示情報の遷移を示す説明図。
【発明を実施するための形態】
【００１１】
〈一実施形態によるエレベータ制御装置を利用したエレベータシステムの構成〉
本発明の一実施形態によるエレベータ制御装置を利用したエレベータシステムの構成について、図１を参照して説明する。
【００１２】
本実施形態によるエレベータシステム１は、３階建ての建物に設置されたエレベータを管理し、１階のエレベータ乗場に設置された乗場操作盤１０−１と、２階のエレベータ乗場に設置された乗場操作盤１０−２と、３階のエレベータ乗場に設置された乗場操作盤１０−３と、乗りかご内に設置されたかご内操作盤２０と、各乗場操作盤１０−１〜１０−３、およびかご内操作盤２０に接続されたエレベータ制御装置３０とを備える。
【００１３】
乗場操作盤１０−１には、乗場表示装置１１−１と、利用者が上方向に移動する際に操作する呼び登録ボタン１２−１とが設置されている。また乗場操作盤１０−２には、乗場表示装置１１−２と、利用者が上方向に移動する際に操作する呼び登録ボタン１２−２ａと、利用者が下方向に移動する際に操作する呼び登録ボタン１２−２ｂとが設置されている。また乗場操作盤１０−３には、乗場表示装置１１−３と、利用者が下方向に移動する際に操作する呼び登録ボタン１２−３とが設置されている。
【００１４】
またかご内操作盤２０には、かご内表示装置２１と、利用者が行き先階を操作するための行き先階登録ボタン群２２と、利用者が乗りかごを戸開閉操作するための戸開閉ボタン２３とが設置されている。
【００１５】
エレベータ制御装置３０は、図２に示すように、瞬間停電検知部３１と、運転制御部３２と、再起動処理部３３と、表示制御部３４と、音声出力制御部３５とを有する。
【００１６】
瞬間停電検知部３１は、当該エレベータシステム１内で発生した瞬間停電を検知する。瞬間停電とは、電力供給が短い時間（おおむね１秒未満）途絶えるかまたは電圧が降下する現象である。
【００１７】
運転制御部３２は、通常運転時に瞬間停電検知部３１で瞬間停電の発生が検知されると、運転を一時停止する。また運転が一時停止された後、再起動処理部３３により実行されるエレベータシステム１の再起動処理が完了すると、運転を再開する。
【００１８】
再起動処理部３３は、瞬間停電検知部３１で瞬間停電の発生が検知されたことにより運転制御部３２で運転が一時停止されると、当該エレベータシステム１の再起動処理を行う。
【００１９】
表示制御部３４は、通常運転時には、乗場表示装置１１−１〜１１−３およびかご内表示装置２１に、乗りかごの現在位置および走行方向を表示させる。また瞬間停電検知部３１で瞬間停電の発生が検知されたことにより運転制御部３２により運転が停止されると、「一時停止中」であることを報知するための情報を表示させる。また再起動処理部３３で再起動処理が開始されると、「システム再起動中」であることを報知するための情報を表示させる。その後、運転制御部３２により運転が再開されると、「正常に復帰した」ことを報知するための情報を表示させる。
【００２０】
音声出力制御部３５は、瞬間停電検知部３１で瞬間停電の発生が検知されたことにより運転制御部３２により運転が停止されると、「一時停止中」であることを報知するための音声情報を、乗場スピーカ１３−１〜１３−３およびかご内スピーカ２４から出力させる。また再起動処理部３３で再起動処理が開始されると、「システム再起動中」であることを報知するための音声情報を出力させる。その後、運転制御部３２により運転が再開されると、「正常に復帰した」ことを報知するための音声情報を出力させる。
【００２１】
〈一実施形態によるエレベータ制御装置を利用したエレベータシステムの動作〉
次に、本実施形態によるエレベータシステムの動作について説明する。図３は、エレベータシステム１内で瞬間停電が発生したときにエレベータ制御装置３０で実行される処理を示すフローチャートである。また、図４は、エレベータシステム１内で瞬間停電が発生した後、エレベータの運転が通常運転に戻るまでの間の、乗場表示装置１１−１〜１１−３およびかご内表示装置２１の表示状態の遷移を示す説明図である。
【００２２】
本実施形態によるエレベータシステム１では、通常運転時はエレベータ制御装置３０の表示制御部３４の制御により、乗場表示装置１１−１〜１１−３およびかご内表示装置２１に、乗りかごの現在位置および走行方向が表示されている（Ｓ１、図４（ａ））。
【００２３】
通常運転時にエレベータシステム１内で瞬間停電が発生すると、瞬間停電検知部３１でこれが検知される（Ｓ１の「YES」）。
【００２４】
瞬間停電検知部３１で瞬間停電が検知されると、運転制御部３２によりエレベータの運転が一時停止される（Ｓ３）。このとき、既に登録されている乗場呼び登録、およびかご呼び登録の情報は消去される。
【００２５】
瞬間停電の発生が検知されたことにより運転制御部３２によりエレベータの運転が一時停止されると、乗場表示装置１１−１〜１１−３およびかご内表示装置２１の表示が「一時停止中」であることを報知するための情報に切り替えられる（図４（ｂ））とともに、「一時停止中」であることを報知するための音声情報が乗場スピーカ１３−１〜１３−３およびかご内スピーカ２４から出力される（Ｓ４）。
【００２６】
また、瞬間停電の発生が検知されたことにより運転制御部３２により運転が一時停止されると、再起動処理部３３によりエレベータシステム１の再起動処理が開始される（Ｓ５）。
【００２７】
再起動処理部３３によりエレベータシステム１の再起動処理が開始されると、乗場表示装置１１−１〜１１−３およびかご内表示装置２１の表示が「システム再起動中」であることを報知するための情報に切り替えられる（図４（ｃ））とともに、「システム再起動中」であることを報知するための音声情報が乗場スピーカ１３−１〜１３−３およびかご内スピーカ２４から出力される（Ｓ６）。
【００２８】
次に、ステップＳ４で開始されたエレベータシステム１の再起動処理が完了すると（Ｓ７の「YES」）、運転制御部３２によりエレベータの運転が再開される（Ｓ８）。
【００２９】
エレベータの運転が再開されると、乗場表示装置１１−１〜１１−３およびかご内表示装置２１の表示が「正常に復帰した」ことを報知するための情報に切り替えられる（図４（ｄ））とともに、「正常に復帰した」ことを報知するための音声情報が乗場スピーカ１３−１〜１３−３およびかご内スピーカ２４から出力される（Ｓ９）。この「正常に復帰した」ことを報知するための情報の表示、音声の出力は所定時間（例えば数十秒間）継続され、その後通常運転に戻り、乗場表示装置１１−１〜１１−３およびかご内表示装置２１には、乗りかごの現在位置および走行方向が表示されるように切り替えられる（Ｓ１、図４（ａ））。
【００３０】
以上の本実施形態によれば、瞬間停電によりエレベータの運転が停止したときに、現在の停止が「一時停止」であること、および「システム再起動中」であることを報知することにより、故障ではなく、短時間で運転が再開されることを乗りかご内の利用者に認識させることができ、利用者の不安を除くことができる。
【００３１】
また乗場でエレベータ待ちをしている利用者に対しても、登録した乗場呼びは消去されるが、故障ではなく、短時間で運転が再開されることを認識させることができる。
【００３２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３３】
１…エレベータシステム
１０−１〜１０−３…乗場操作盤
１１−１〜１１−３…乗場表示装置
１２−１、１２−１ａ、１２−２ｂ、１２−３…登録ボタン
１３−１〜１３−３…乗場スピーカ
２０…かご内操作盤
２１…かご内表示装置
２２…行き先階登録ボタン群
２３…戸開閉ボタン
２４…かご内スピーカ
３０…エレベータ制御装置
３１…瞬間停電検知部
３２…運転制御部
３３…再起動処理部
３４…表示制御部
３５…音声出力制御部
【図１】
2015048225.tif 000003
【図２】
2015048225.tif 000004
【図３】
2015048225.tif 000005
【図４】
2015048225.tif 000006
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
エレベータの各階のエレベータ乗場に設置された乗場表示装置および乗場スピーカと、前記エレベータの乗りかご内に設置されたかご内表示装置およびかご内スピーカとを備えるエレベータシステムで利用されるエレベータ制御装置において、
前記エレベータシステムで発生した瞬間停電を検知する瞬間停電検知部と、
前記瞬間停電検知部で瞬間停電の発生が検知されると、前記エレベータシステムの再起動処理を行う再起動処理部と、
前記瞬間停電検知部で瞬間停電の発生が検知されると運転を停止し、運転停止後、前記再起動処理部により実行される再起動処理が完了すると運転を再開する運転制御部と、
瞬間停電の発生が検知されたことにより前記運転制御部により運転が停止されると「一時停止中」であることを報知する情報を前記乗場表示装置および前記かご内表示装置に表示させ、前記再起動処理部で再起動処理が開始されると、前記乗場表示装置および前記かご内表示装置での表示内容を「システム再起動中」であることを報知する情報に切り替える表示制御部と、
瞬間停電の発生が検知されたことにより前記運転制御部により運転が停止されると「一時停止中」であることを報知する音声情報を前記乗場スピーカおよび前記かご内スピーカから出力させ、前記再起動処理部で再起動処理が開始されると、前記乗場スピーカおよび前記かご内スピーカから出力させる音声情報を「システム再起動中」であることを報知する情報に切り替える音声出力制御部と
を備えることを特徴とするエレベータ制御装置。
【請求項２】
前記表示制御部は、前記運転制御部により運転が再開されると、前記乗場表示装置および前記かご内表示装置での表示内容を「正常に復帰した」ことを報知する情報に切り替えて所定時間表示させ、
前記音声出力制御部は、前記運転制御部により運転が再開されると、前記乗場スピーカおよび前記かご内スピーカから出力させる音声情報を「正常に復帰した」ことを報知する情報に切り替えて所定時間出力させる
ことを特徴とする請求項１に記載のエレベータ制御装置。
【請求項３】
前記運転制御部は、瞬間停電の発生により運転を停止した後、前記再起動処理部により実行される再起動処理が完了したときに、通常運転にて運転を再開する
ことを特徴とする請求項１または２に記載のエレベータ制御装置。
【手続補正２】
【補正対象書類名】明細書
【補正対象項目名】０００９
【補正方法】変更
【補正の内容】
【０００９】
上記目的を達成するための実施形態によればエレベータ制御装置は、瞬間停電検知部と再起動処理部と運転制御部と表示制御部と音声出力制御部とを備える。瞬間停電検知部は、エレベータシステムで発生した瞬間停電を検知する。再起動処理部は、瞬間停電の発生が検知されるとエレベータシステムの再起動処理を行う。運転制御部は、瞬間停電の発生が検知されると運転を停止し、その後再起動処理が完了すると運転を再開する。表示制御部は、瞬間停電の発生が検知されたことにより運転制御部により運転が停止されると「一時停止中」であることを報知する情報を乗場表示装置およびかご内表示装置に表示させ、再起動処理部で再起動処理が開始されると、乗場表示装置およびかご内表示装置での表示内容を「システム再起動中」であることを報知する情報に切り替える。音声出力制御部は、瞬間停電の発生が検知されたことにより運転制御部により運転が停止されると「一時停止中」であることを報知する音声情報を乗場スピーカおよびかご内スピーカから出力させ、再起動処理部で再起動処理が開始されると、乗場スピーカおよびかご内スピーカから出力させる音声情報を「システム再起動中」であることを報知する情報に切り替える。